(57)【要約】      （修正有）【課題】安全で見栄えもよく、特に再利用が可能により環境にも優しい着脱可能型箸を得ることにある。【解決手段】着脱可能型箸は、一双の箸半体ｂ、ｃを備え、一方の箸半体ｂの上部側面に凹状結合部ｇと他方の箸半体ｃの上部側面に凸状結合部ｈを形成し、凹状結合部ｇと凸状結合部ｈとは、箸半体の長手方向に移動させて結合可能であると共に、箸半体の下部を左右に開くと両者の結合が解除されて分離可能となる。着脱可能型箸が箸半体ｂの凹状結合部ｇと箸半体ｃの凸状結合部ｈとが結合可能で分割可能となり、更に上下方向と左右方向に着脱可能となる。【選択図】図３
2014090769.tif 000002
【特許請求の範囲】
【請求項１】
一双の箸半体を備え、一方の箸半体の上部側面に凹状結合部を設けるとともに、他方の箸半体の上部側面に凸状結合部を設け、前記凹状結合部と前記凸状結合部とを結合させて、前記一双の箸本体が結合状態となり、前記凹状結合部と前記凸状結合部とを分解させて、前記一双の箸本体とが使用可能状態となることを特徴とする着脱可能型箸。
【請求項２】
前記一双の箸本体は、相互に重なるように箸半体の長さ方向に移動させる又は、近接する方向に移動させることによって前記結合状態となり、また相互に離れるように箸半体の長さ方向に移動させる又は離隔する方向に移動させることによって分離して前記使用可能状態となることを特徴とする請求項１に記載の着脱可能型箸。
【請求項３】
前記一双の箸本体は、相互に重なるように箸半体の長さ方向に移動させて前記結合状態となり、この結合状態で箸半体の下部を離隔する方向に移動させることによって分離して結合状態が解除されて前記使用可能状態となることを特徴とする請求項１または２に記載の着脱可能型箸。
【請求項４】
前記凸状結合部には結合爪が設けられ、前記凹状結合部には結合凹部が設けられ、前記結合爪が前記結合凹部に結合することによって、前記一双の箸半体が前記結合状態となることを特徴とする請求項１乃至３に記載の着脱可能型箸。
【請求項５】
前記凹状結合部の下端部に前記凸状結合部の下端部が当接するストッパー部を形成してなることを特徴とする請求項１乃至４に記載の着脱可能型箸。
【請求項６】
前記凹状結合部と前記凸状結合部との少なくとも一方の下端部に横溝を形成してなることを特徴とする請求項１乃至５に記載の着脱可能型箸。
【発明の詳細な説明】
【技術分野】
【０００１】
本発明は、再利用可能な割箸の着脱可能型箸に関する。
【背景技術】
【０００２】
従来の割箸は、日本の文化であると言っても過言では無い。すなわち、木や竹を素材とした軸体の２本が一箇所で一体にくっ付いた割箸が使用されており、使用者は割れ目（スリット：割溝）に沿って割ることによって２本の箸が得られるように構成されている。
【０００３】
しかしながら、このような割箸は使用後には使い捨てであることから、資源の無駄遣いであるという欠点がある。
【０００４】
そこで、一部のレストラン等では、使い捨ての割箸では無く、洗って何度でも使用するタイプの箸が出されたりすることも有る。
【０００５】
一方、最近では、外食に際して、自己専用の箸を持って行くことがあるが、面倒で大変である。
【先行技術文献】
【特許文献】
【０００６】
【特許文献１】特開平２００８−２０６７４３号公報
【発明の概要】
【発明が解決しようとする課題】
【０００７】
従来の箸のように割箸半体同士を連結部で分割した場合、その分割面がギザギザの凹凸面となり、このギザギサ凹凸面によって皮膚が傷付く可能性もあり、老若男女を問わず注意し使用しても食事及び洗浄時に於いて非常に不安であった。また樹脂化しても最終的に廃棄する事になる。特許文献１のように、箸半体同士が連結されている割箸を使用に際して連結部で分割した場合、その分割面がギザギザの凹凸面となっていても、このギザギサ凹凸面によって皮膚が傷付き難いものとなる割箸があるが、分割式であり、再利用ができないものである。
【０００８】
本発明は、以上のような従来の欠点に鑑み、割箸（一膳分の箸）を分離し再利用が出来ない欠点を解決すると共に、従来の割箸と変わらなく使い易くすることにより、着脱可能型箸を提供する事を目的としている。
【課題を解決するための手段】
【０００９】
上記目的を達成するために、本発明の請求項１は、一双の箸半体を備え、一方の箸半体の上部側面に凹状結合部を設けるとともに、他方の箸半体の上部側面に凸状結合部を設け、前記凹状結合部と前記凸状結合部とを結合させて、前記一双の箸本体が結合状態となり、前記凹状結合部と前記凸状結合部とを分解させて、前記一双の箸本体とが使用可能状態となることを特徴とする。
【００１０】
本発明の請求項２は、前記一双の箸本体において、相互に重なるように箸半体の長さ方向に移動させる又は、近接する方向に移動させることによって前記結合状態となり、また相互に離れるように箸半体の長さ方向に移動させる又は離隔する方向に移動させることによって分離して前記使用可能状態となることを特徴とする。
【００１１】
本発明の請求項３は、前記一双の箸本体において、相互に重なるように箸半体の長さ方向に移動させて前記結合状態となり、この結合状態で箸半体の下部を離隔する方向に移動させることによって分離して結合状態が解除されて前記使用可能状態となることを特徴とする。
【００１２】
本発明の請求項４は、前記凸状結合部には結合爪が設けられ、前記凹状結合部には結合凹部が設けられ、前記結合爪が前記結合凹部に結合することによって、前記一双の箸半体が前記結合状態となることを特徴とする。
【００１３】
本発明の請求項５は、前記凹状結合部の下端部に前記凸状結合部の下端部が当接するストッパー部を形成してなることを特徴とする。
【００１４】
本発明の請求項６は、前記凹状結合部と前記凸状結合部との少なくとも一方の下端部に横溝を形成してなることを特徴とする。
【発明の効果】
【００１５】
本発明は、一双の箸半体を備え、一方の箸半体の上部側面に凹状結合部を設けるとともに、他方の箸半体の上部側面に凸状結合部を設け、前記凹状結合部と前記凸状結合部とを結合させて、前記一双の箸本体が結合状態となり、前記凹状結合部と前記凸状結合部とを分解させて、前記一双の箸本体とが使用可能状態となることによって分離して結合状態が解除されて、再三の着脱が可能となり再利用ができ、割口（離した時）の見栄えが美しく、誰が割っても割状態が統一され、安全で安心して使用可能である。そして、再使用が可能であることから、廃棄することなく無駄もなく環境に優しいものである。
【００１６】
また、本発明は、前記一双の箸本体において、相互に重なるように箸半体の長さ方向に移動させる又は、近接する方向に移動させることによって前記結合状態となり、また相互に離れるように箸半体の長さ方向に移動させる又は離隔する方向に移動させることによって分離して前記使用可能状態となるので、結合方向あるいは分離方向が２方向となり、箸半体同士の結合・分離が容易になり、使い勝手がよいものである。そして、前記一双の箸本体において、相互に重なるように箸半体の長さ方向に移動させて前記結合状態となり、この結合状態で箸半体の下部を離隔する方向に移動させることによって分離して結合状態が解除されて前記使用可能状態となるので、普通の割り箸ように使用でき、更に使い勝手がよいものである。
【図面の簡単な説明】
【００１７】
【図１】本発明の実施形態である着脱可能型箸ａを示す全体斜視図であり、図１（イ）は着脱可能型箸ａを結合した状態を示す斜視図、図１（ロ）は分離した状態を示す斜視図である。
【図２】図１の本発明の着脱可能型箸ａの結合状態を示す横断面図である。
【図３】図３（イ）は図１の本発明の着脱可能型箸ａの結合状態を示す横断面であり、図３（ロ）は分離した状態を示す横断面図であり、矢印は結合、分離方向を示すものである。
【図４】本発明の実施形態である箸半体同士を箸半体の長さ方向に移動させて結合することを示す側面図である。
【図５】本発明の実施形態である着脱可能型箸ａの箸半体の上部の凹状結合部と凸状結合部を示す箸半体の側面図である。
【図６】本発明の実施形態である着脱可能型箸ａの結合している部分（片側）の係合状態を示す部分拡大断面図である。
【図７】本発明の実施形態である着脱可能型箸ａの分離状態を示す部分断面図である。
【発明を実施するための形態】
【００１８】
以下、本発明の実施の形態を図に基づいて説明する。図１は、本発明の着脱可能型箸ａの実施例の全体斜視図であって、一双の箸半体ｂ、ｃを備えるものである。図１（イ）は、箸半体ｂと箸半体ｃが互いに箸の上部にて結合されている斜視図であり、図１（ロ）は、使用時に箸半体ｂ、ｃを分離したときの斜視図である。着脱可能型箸ａは、樹脂製であっても、木製や金属製であっても良いものである。
【００１９】
一方の箸半体ｂの上部側面には、結合用の凹状結合部ｇが形成されており、他方の箸半体ｃの上部側面には、結合用の凸状結合部ｈが形成されている。この凹状結合部ｇと凸状結合部ｈとが結合されて、箸半体同士が一体となるものである。また、結合されている着脱可能型箸ａは、分離されて２本となり、箸として利用できるものである。
【００２０】
図２に示されるように、箸半体ｂの凹状結合部ｇの溝状の開口端縁には、内側方向に爪部ｅ、ｅが形成されており、他方の箸半体ｃの凸状結合部ｈの凸状部にも外側方向に爪部f、ｆが形成されている。この凹結合部ｇの爪部ｅと凸状結合部ｈの爪部fが係合されて結合できるものである。
【００２１】
この爪部ｅ、ｆの寸法（後述する）は図７に示されるように具体的な実施例に示す近い寸法であり、弾性力を有するものである。図５に示されるように、凹状結合部ｇと凸状結合部ｈとは、箸半体の長手方向に移動させて結合可能であると共に、図１に示される箸半体ｂ、ｃとが図３（ロ）に示される結合状態から、箸半体ｂ、ｃの下部を左右「ハの字」方向に力を外側に加え開くと凹状結合部ｇと凸状結合部ｈの両者の結合が解除されて、図３（ロ）に示されるように分離可能になるものである。
【００２２】
図４に示されるように、箸半体の長手方向に移動させて結合する際に、凸状結合部ｃの下端部ｔｔが凹状結合部ｂの下端部のストッパー部ｓｓに当接して、長さ方向に上下を一致させることができ、持ち運びする際に互い違いにならず、便利なものである。
【００２３】
図５や図４に示されるように、凹状結合部ｂの結合部下端部に横溝ｄが形成されており、この横溝ｄは、箸半体同士を分離する際に、分離しやすくするものである。左右の爪部に弾力を持たした事により割れにくい。
【００２４】
また、分離された箸半体ｂと箸半体ｃの凹状結合部ｇと凸状結合部ｈの同士を向かい合わせにして押し付けると、図３（イ）のように分離とは反対に結合させることができるものである。
【００２５】
図６は、図１の本発明の着脱可能型箸ａの結合している片側の係合状態を示す部分拡大断面図である。箸半体ｂの凹状結合部ｇの側面部ｊ、ｋ間に箸半体ｃの凸状結合部ｈの爪部ｆを接触させ挟み込ませて結合させ保持するものである。即ち凹状結合部ｇの側面部ｊ、ｋの位置に溝ｍが形成されることになり、この溝ｍに凸状結合部ｈの爪部ｆが係合することになる。また、凹状結合部ｇの爪部ｅと対面する凸状結合部ｈの爪部ｆの基部に溝ｌが形成されている。
【００２６】
箸半体ｂの凹状結合部ｇと箸半体ｃの凸状結合部ｆを長手方向に挿脱して結合・分離する場合や横方向に移動させて結合・分離する場合に、凹状結合部ｇの爪部ｅ、ｅへのストレスによる劣化を軽減させるために、爪部fと係合する凹状結合部ｂの側面ｊ、ｋの間に形成した溝ｍに爪部ｆの先端を凹状結合部ｂの側面に当接しないように形成し、また、爪部ｅと対面する凸状結合部ｈの爪部ｆの基部に形成した溝ｌに爪部ｅの先端を凸状結合部ｃの側面（溝ｌ）に当接しないように形成し、更に、爪部ｅと爪部ｆの先端に丸みを持たせると共に溝ｍ及び溝ｌにも丸みを持たせて、そして、凹状結合部ｂの内面に凸状結合部ｈの先端が当接しないように凹ませて溝ｎを形成して、結合時や脱着時の爪部ｅ、ｅへのストレスによる劣化を軽減させ、全体として再三の着脱を可能とし長期使用を可能にするものある。
【００２７】
図２、図３、図６、図７で示されているように結合時に接触する箸半体ｂの凹状結合部ｇの爪部ｅ、ｅと箸半体ｃの凸状結合部ｈ及び爪部ｆ、ｆに丸みを持たせ、各爪部ｅ、ｅ及び爪部ｆ、ｆのヘタリ（面が痩せていく）を防ぐものである。
【００２８】
図３（イ）、図６に示されているように、箸半体ｂの凹状結合部ｇと箸半体ｃの凹状結合部ｈを結合させた場合、凹状結合部ｂの溝ｍ、溝ｎ及び凸状結合部ｃの溝ｌの位置に隙間が形成されることになり、凹状結合部ｂに凸状結合部ｈの挿入時の弾力性を持たせて外れやすくすると共にストレスによる劣化を軽減させ割れを防ぐものとする。
【００２９】
また、図６に示されているように、箸半体ｂの凹状結合部ｇと箸半体ｃの凸状結合部ｈを結合させた場合、凹状結合部ｂの爪部ｅの凸状結合部ｃ側の側面と対抗する凸状結合部ｃの側面間には隙間ｉが形成され、凸状結合部ｈを凹状結合部ｂに挿入時の弾力性を持たせストレスによる劣化を軽減させると共に、凸状結合部ｈの挿入時には箸半体ｂの側面ｊ、ｋにて箸半体ｃの凸状結合部ｈの爪部ｆを挟みこませ前記結合時の結合力を高めるものとする。
【００３０】
以上に、本発明にあっては作用効果が次のように得られる。
（１）一般的な割箸として同様に分離して使用でき、一般的に使用している割箸と同様に、割った時の感触が殆ど変わらない。
（２）分離した箸半体同士を上下方向に移動させて凹状結合部と凸状結合部を係合させて一体とすることができる。
（３）箸半体ｂと箸半体ｃを向かい合わせ押付けて凹状結合部と凸状結合部とを係合、また分離させることができる。
（４）食事などで使用後には廃棄する場合が多いが、着脱可能型箸ａは洗い乾燥した後に結合（一体にする）させ、再使用が可能であり、廃棄することなく無駄もなく環境に優しい。
【実施例】
【００３１】
本発明の実施例として、具体的な寸法を明示する。
ｏ：箸半体ｂの横側面から爪部ｅ先端までの距離        １．３８mm
ｐ：箸半体ｂの横側面から溝ｍまでの距離              １．０７mm
ｑ：箸半体ｂの溝ｍの丸み                            Ｒ０．１mm
ｒ：箸半体ｂの結合凹部ｇの凹溝の丸み                Ｒ４．２５mm
ｓ：箸半体ｂの爪部ｅ側面から溝ｍ中心部までの距離    ０．９７mm
ｔ：箸半体ｂの爪部ｅ側面から結合凹部ｇの溝ｎの最深部までの距離
２．００mm
ｕ：箸半体cの爪部ｆの丸み                          Ｒ０．４mm
ｖ：箸半体cの溝ｌの丸み                            Ｒ０．３mm
ｗ：箸半体cの爪部ｆ先端からまで溝lまでの距離      ０．４０mm
ｘ：箸半体cの横側面から溝lまでの距離              １．６６mm
ｙ：箸半体cの凸状結合部ｈ先端から溝l中心部までの距離
１．３０mm
ｚ：箸半体cの凸状結合部ｈ先端から内側面ｉまでの距離  １．６０mm
なお、本実施例では、具体的な寸法を記載したが、本発明はかかる実施例の形態に限定されるものではなく、本発明の範囲を逸脱することなく種々の変形乃至修正が可能である。
【符号の説明】
【００３２】
ａ    着脱可能型箸
ｂ    箸半体（凹面側）
ｃ    箸半体（凸面側）
ｄ    横溝部 
ｅ    爪部
ｆ    爪部
ｇ    凹状結合部
ｈ    凸状結合部
【図１】
2014090769.tif 000003
【図２】
2014090769.tif 000004
【図３】
2014090769.tif 000005
【図４】
2014090769.tif 000006
【図５】
2014090769.tif 000007
【図６】
2014090769.tif 000008
【図７】
2014090769.tif 000009
【手続補正書】
【提出日】平成25年2月26日(2013.2.26)
【手続補正１】
【補正対象書類名】特許請求の範囲
【補正対象項目名】全文
【補正方法】変更
【補正の内容】
【特許請求の範囲】
【請求項１】
一双の箸半体を備え、一方の箸半体の上部側面に凹状結合部を設けるとともに、他方の箸半体の上部側面に凸状結合部を設け、前記凹状結合部と前記凸状結合部とを結合させて、前記一双の箸本体が結合状態となり、前記凹状結合部と前記凸状結合部とを分離させて、前記一双の箸本体が使用可能状態となる着脱可能型箸であって、
前記一双の箸本体は、相互に重なるように箸半体の長さ方向に移動させる又は、近接する方向に移動させることによって前記結合状態となり、また相互に離れるように箸半体の長さ方向に移動させる又は離隔する方向に移動させることによって分離して前記使用可能状態となり、
前記一双の箸本体が、相互に重なるように箸半体の長さ方向に移動させて前記結合状態となり、この結合状態で箸半体の下部を離隔する方向に移動させることによって分離して結合状態が解除されて前記使用可能状態となることを特徴とする着脱可能型箸。
【請求項２】
前記凸状結合部には結合爪が設けられ、前記凹状結合部には結合凹部が設けられ、前記結合爪が前記結合凹部に結合することによって、前記一双の箸半体が前記結合状態となることを特徴とする請求項１に記載の着脱可能型箸。
【請求項３】
前記凹状結合部の下端部に前記凸状結合部の下端部が当接するストッパー部を形成してなることを特徴とする請求項１又は２に記載の着脱可能型箸。
【請求項４】
前記凹状結合部と前記凸状結合部との少なくとも一方の下端部に横溝を形成してなることを特徴とする請求項１乃至３のいずれか一項に記載の着脱可能型箸。
【手続補正２】
【補正対象書類名】明細書
【補正対象項目名】全文
【補正方法】変更
【補正の内容】
【発明の詳細な説明】
【技術分野】
【０００１】
本発明は、再利用可能な割箸の着脱可能型箸に関する。
【背景技術】
【０００２】
従来の割箸は、日本の文化であると言っても過言では無い。すなわち、木や竹を素材とした軸体の２本が一箇所で一体にくっ付いた割箸が使用されており、使用者は割れ目（スリット：割溝）に沿って割ることによって２本の箸が得られるように構成されている。
【０００３】
しかしながら、このような割箸は使用後には使い捨てであることから、資源の無駄遣いであるという欠点がある。
【０００４】
そこで、一部のレストラン等では、使い捨ての割箸では無く、洗って何度でも使用するタイプの箸が出されたりすることも有る。
【０００５】
一方、最近では、外食に際して、自己専用の箸を持って行くことがあるが、面倒で大変である。
【先行技術文献】
【特許文献】
【０００６】
【特許文献１】特開平２００８−２０６７４３号公報
【発明の概要】
【発明が解決しようとする課題】
【０００７】
従来の箸のように割箸半体同士を連結部で分割した場合、その分割面がギザギザの凹凸面となり、このギザギサ凹凸面によって皮膚が傷付く可能性もあり、老若男女を問わず注意し使用しても食事及び洗浄時に於いて非常に不安であった。また樹脂化しても最終的に廃棄する事になる。特許文献１のように、箸半体同士が連結されている割箸を使用に際して連結部で分割した場合、その分割面がギザギザの凹凸面となっていても、このギザギサ凹凸面によって皮膚が傷付き難いものとなる割箸があるが、分割式であり、再利用ができないものである。
【０００８】
本発明は、以上のような従来の欠点に鑑み、割箸（一膳分の箸）を分離し再利用が出来ない欠点を解決すると共に、従来の割箸と変わらなく使い易くすることにより、着脱可能型箸を提供する事を目的としている。
【課題を解決するための手段】
【０００９】
上記目的を達成するために、本発明の請求項１は、一双の箸半体を備え、一方の箸半体の上部側面に凹状結合部を設けるとともに、他方の箸半体の上部側面に凸状結合部を設け、前記凹状結合部と前記凸状結合部とを結合させて、前記一双の箸本体が結合状態となり、前記凹状結合部と前記凸状結合部とを分離させて、前記一双の箸本体が使用可能状態となる着脱可能型箸であって、前記一双の箸本体は、相互に重なるように箸半体の長さ方向に移動させる又は、近接する方向に移動させることによって前記結合状態となり、また相互に離れるように箸半体の長さ方向に移動させる又は離隔する方向に移動させることによって分離して前記使用可能状態となり、前記一双の箸本体が、相互に重なるように箸半体の長さ方向に移動させて前記結合状態となり、この結合状態で箸半体の下部を離隔する方向に移動させることによって分離して結合状態が解除されて前記使用可能状態となることを特徴とする。
【００１０】
本発明の請求項２は、前記凸状結合部には結合爪が設けられ、前記凹状結合部には結合凹部が設けられ、前記結合爪が前記結合凹部に結合することによって、前記一双の箸半体が前記結合状態となることを特徴とする。
【００１１】
本発明の請求項３は、前記凹状結合部の下端部に前記凸状結合部の下端部が当接するストッパー部を形成してなることを特徴とする。
【００１２】
本発明の請求項４は、前記凹状結合部と前記凸状結合部との少なくとも一方の下端部に横溝を形成してなることを特徴とする。
【発明の効果】
【００１３】
本発明は、一双の箸半体を備え、一方の箸半体の上部側面に凹状結合部を設けるとともに、他方の箸半体の上部側面に凸状結合部を設け、前記凹状結合部と前記凸状結合部とを結合させて、前記一双の箸本体が結合状態となり、前記凹状結合部と前記凸状結合部とを分解させて、前記一双の箸本体とが使用可能状態となることによって分離して結合状態が解除されて、再三の着脱が可能となり再利用ができ、割口（離した時）の見栄えが美しく、誰が割っても割状態が統一され、安全で安心して使用可能である。そして、再使用が可能であることから、廃棄することなく無駄もなく環境に優しいものである。
【００１４】
また、本発明は、前記一双の箸本体において、相互に重なるように箸半体の長さ方向に移動させる又は、近接する方向に移動させることによって前記結合状態となり、また相互に離れるように箸半体の長さ方向に移動させる又は離隔する方向に移動させることによって分離して前記使用可能状態となるので、結合方向あるいは分離方向が２方向となり、箸半体同士の結合・分離が容易になり、使い勝手がよいものである。そして、前記一双の箸本体において、相互に重なるように箸半体の長さ方向に移動させて前記結合状態となり、この結合状態で箸半体の下部を離隔する方向に移動させることによって分離して結合状態が解除されて前記使用可能状態となるので、普通の割り箸ように使用でき、更に使い勝手がよいものである。
【図面の簡単な説明】
【００１５】
【図１】本発明の実施形態である着脱可能型箸ａを示す全体斜視図であり、図１（イ）は着脱可能型箸ａを結合した状態を示す斜視図、図１（ロ）は分離した状態を示す斜視図である。
【図２】図１の本発明の着脱可能型箸ａの結合状態を示す横断面図である。
【図３】図３（イ）は図１の本発明の着脱可能型箸ａの結合状態を示す横断面であり、図３（ロ）は分離した状態を示す横断面図であり、矢印は結合、分離方向を示すものである。
【図４】本発明の実施形態である箸半体同士を箸半体の長さ方向に移動させて結合することを示す側面図である。
【図５】本発明の実施形態である着脱可能型箸ａの箸半体の上部の凹状結合部と凸状結合部を示す箸半体の側面図である。
【図６】本発明の実施形態である着脱可能型箸ａの結合している部分（片側）の係合状態を示す部分拡大断面図である。
【図７】本発明の実施形態である着脱可能型箸ａの分離状態を示す部分断面図である。
【発明を実施するための形態】
【００１６】
以下、本発明の実施の形態を図に基づいて説明する。図１は、本発明の着脱可能型箸ａの実施例の全体斜視図であって、一双の箸半体ｂ、ｃを備えるものである。図１（イ）は、箸半体ｂと箸半体ｃが互いに箸の上部にて結合されている斜視図であり、図１（ロ）は、使用時に箸半体ｂ、ｃを分離したときの斜視図である。着脱可能型箸ａは、樹脂製であっても、木製や金属製であっても良いものである。
【００１７】
一方の箸半体ｂの上部側面には、結合用の凹状結合部ｇが形成されており、他方の箸半体ｃの上部側面には、結合用の凸状結合部ｈが形成されている。この凹状結合部ｇと凸状結合部ｈとが結合されて、箸半体同士が一体となるものである。また、結合されている着脱可能型箸ａは、分離されて２本となり、箸として利用できるものである。
【００１８】
図２に示されるように、箸半体ｂの凹状結合部ｇの溝状の開口端縁には、内側方向に爪部ｅ、ｅが形成されており、他方の箸半体ｃの凸状結合部ｈの凸状部にも外側方向に爪部ｆ、ｆが形成されている。この凹結合部ｇの爪部ｅと凸状結合部ｈの爪部ｆが係合されて結合できるものである。
【００１９】
この爪部ｅ、ｆの寸法（後述する）は図７に示されるように具体的な実施例に示す近い寸法であり、弾性力を有するものである。図５に示されるように、凹状結合部ｇと凸状結合部ｈとは、箸半体の長手方向に移動させて結合可能であると共に、図１に示される箸半体ｂ、ｃとが図３（ロ）に示される結合状態から、箸半体ｂ、ｃの下部を左右「ハの字」方向に力を外側に加え開くと凹状結合部ｇと凸状結合部ｈの両者の結合が解除されて、図３（ロ）に示されるように分離可能になるものである。
【００２０】
図４に示されるように、箸半体の長手方向に移動させて結合する際に、凸状結合部ｃの下端部ｔｔが凹状結合部ｂの下端部のストッパー部ｓｓに当接して、長さ方向に上下を一致させることができ、持ち運びする際に互い違いにならず、便利なものである。
【００２１】
図５や図４に示されるように、凹状結合部ｂの結合部下端部に横溝ｄが形成されており、この横溝ｄは、箸半体同士を分離する際に、分離しやすくするものである。左右の爪部に弾力を持たした事により割れにくい。
【００２２】
また、分離された箸半体ｂと箸半体ｃの凹状結合部ｇと凸状結合部ｈの同士を向かい合わせにして押し付けると、図３（イ）のように分離とは反対に結合させることができるものである。
【００２３】
図６は、図１の本発明の着脱可能型箸ａの結合している片側の係合状態を示す部分拡大断面図である。箸半体ｂの凹状結合部ｇの側面部ｊ、ｋ間に箸半体ｃの凸状結合部ｈの爪部ｆを接触させ挟み込ませて結合させ保持するものである。即ち凹状結合部ｇの側面部ｊ、ｋの位置に溝ｍが形成されることになり、この溝ｍに凸状結合部ｈの爪部ｆが係合することになる。また、凹状結合部ｇの爪部ｅと対面する凸状結合部ｈの爪部ｆの基部に溝ｌが形成されている。
【００２４】
箸半体ｂの凹状結合部ｇと箸半体ｃの凸状結合部ｆを長手方向に挿脱して結合・分離する場合や横方向に移動させて結合・分離する場合に、凹状結合部ｇの爪部ｅ、ｅへのストレスによる劣化を軽減させるために、爪部ｆと係合する凹状結合部ｂの側面ｊ、ｋの間に形成した溝ｍに爪部ｆの先端を凹状結合部ｂの側面に当接しないように形成し、また、爪部ｅと対面する凸状結合部ｈの爪部ｆの基部に形成した溝ｌに爪部ｅの先端を凸状結合部ｃの側面（溝ｌ）に当接しないように形成し、更に、爪部ｅと爪部ｆの先端に丸みを持たせると共に溝ｍ及び溝ｌにも丸みを持たせて、そして、凹状結合部ｂの内面に凸状結合部ｈの先端が当接しないように凹ませて溝ｎを形成して、結合時や脱着時の爪部ｅ、ｅへのストレスによる劣化を軽減させ、全体として再三の着脱を可能とし長期使用を可能にするものある。
【００２５】
図２、図３、図６、図７で示されているように結合時に接触する箸半体ｂの凹状結合部ｇの爪部ｅ、ｅと箸半体ｃの凸状結合部ｈ及び爪部ｆ、ｆに丸みを持たせ、各爪部ｅ、ｅ及び爪部ｆ、ｆのヘタリ（面が痩せていく）を防ぐものである。
【００２６】
図３（イ）、図６に示されているように、箸半体ｂの凹状結合部ｇと箸半体ｃの凹状結合部ｈを結合させた場合、凹状結合部ｂの溝ｍ、溝ｎ及び凸状結合部ｃの溝ｌの位置に隙間が形成されることになり、凹状結合部ｂに凸状結合部ｈの挿入時の弾力性を持たせて外れやすくすると共にストレスによる劣化を軽減させ割れを防ぐものとする。
【００２７】
また、図６に示されているように、箸半体ｂの凹状結合部ｇと箸半体ｃの凸状結合部ｈを結合させた場合、凹状結合部ｂの爪部ｅの凸状結合部ｃ側の側面と対抗する凸状結合部ｃの側面間には隙間ｉが形成され、凸状結合部ｈを凹状結合部ｂに挿入時の弾力性を持たせストレスによる劣化を軽減させると共に、凸状結合部ｈの挿入時には箸半体ｂの側面ｊ、ｋにて箸半体ｃの凸状結合部ｈの爪部ｆを挟みこませ前記結合時の結合力を高めるものとする。
【００２８】
以上に、本発明にあっては作用効果が次のように得られる。
（１）一般的な割箸として同様に分離して使用でき、一般的に使用している割箸と同様に、割った時の感触が殆ど変わらない。
（２）分離した箸半体同士を上下方向に移動させて凹状結合部と凸状結合部を係合させて一体とすることができる。
（３）箸半体ｂと箸半体ｃを向かい合わせ押付けて凹状結合部と凸状結合部とを係合、また分離させることができる。
（４）食事などで使用後には廃棄する場合が多いが、着脱可能型箸ａは洗い乾燥した後に結合（一体にする）させ、再使用が可能であり、廃棄することなく無駄もなく環境に優しい。
【実施例】
【００２９】
本発明の実施例として、具体的な寸法を明示する。
ｏ：箸半体ｂの横側面から爪部ｅ先端までの距離        １．３８mm
ｐ：箸半体ｂの横側面から溝ｍまでの距離              １．０７mm
ｑ：箸半体ｂの溝ｍの丸み                            Ｒ０．１mm
ｒ：箸半体ｂの結合凹部ｇの凹溝の丸み                Ｒ４．２５mm
ｓ：箸半体ｂの爪部ｅ側面から溝ｍ中心部までの距離    ０．９７mm
ｔ：箸半体ｂの爪部ｅ側面から結合凹部ｇの溝ｎの最深部までの距離
２．００mm
ｕ：箸半体cの爪部ｆの丸み                          Ｒ０．４mm
ｖ：箸半体cの溝ｌの丸み                            Ｒ０．３mm
ｗ：箸半体cの爪部ｆ先端からまで溝ｌまでの距離      ０．４０mm
ｘ：箸半体cの横側面から溝ｌまでの距離              １．６６mm
ｙ：箸半体cの凸状結合部ｈ先端から溝ｌ中心部までの距離
１．３０mm
ｚ：箸半体cの凸状結合部ｈ先端から内側面ｉまでの距離  １．６０mm
なお、本実施例では、具体的な寸法を記載したが、本発明はかかる実施例の形態に限定されるものではなく、本発明の範囲を逸脱することなく種々の変形乃至修正が可能である。
【符号の説明】
【００３０】
ａ    着脱可能型箸
ｂ    箸半体（凹面側）
ｃ    箸半体（凸面側）
ｄ    横溝部
ｅ    爪部
ｆ    爪部
ｇ    凹状結合部
ｈ    凸状結合部
【手続補正３】
【補正対象書類名】図面
【補正対象項目名】図５
【補正方法】変更
【補正の内容】
【図５】
2014090769.tif 000010
【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
一双の箸半体を備え、一方の箸半体の上部側面に凹状結合部を設けるとともに、他方の箸半体の上部側面に凸状結合部を設け、前記凹状結合部と前記凸状結合部とを結合させて、前記一双の箸本体が結合状態となり、前記凹状結合部と前記凸状結合部とを分離させて、前記一双の箸本体が使用可能状態となる着脱可能型箸であって、前記一双の箸本体は、相互に重なるように箸半体の長さ方向に移動させる又は、近接する方向に移動させることによって前記結合状態となり、また相互に離れるように箸半体の長さ方向に移動させる又は離隔する方向に移動させることによって分離して前記使用可能状態となり、前記一双の箸本体が、相互に重なるように箸半体の長さ方向に移動させて前記結合状態となり、この結合状態で箸半体の下部を離隔する方向に移動させることによって分離して結合状態が解除されて前記使用可能状態となり、前記凹状結合部と前記凸状結合部との少なくとも一方の下端部に横溝を形成してなることを特徴とする着脱可能型箸。
【請求項２】
前記凸状結合部には結合爪が設けられ、前記凹状結合部には結合凹部が設けられ、前記結合爪が前記結合凹部に結合することによって、前記一双の箸半体が前記結合状態となることを特徴とする請求項１に記載の着脱可能型箸。
【請求項３】
前記凹状結合部の下端部に前記凸状結合部の下端部が当接するストッパー部を形成してなることを特徴とする請求項１又は２に記載の着脱可能型箸。
【手続補正２】
【補正対象書類名】明細書
【補正対象項目名】０００９
【補正方法】変更
【補正の内容】
【０００９】
上記目的を達成するために、本発明の請求項１は、一双の箸半体を備え、一方の箸半体の上部側面に凹状結合部を設けるとともに、他方の箸半体の上部側面に凸状結合部を設け、前記凹状結合部と前記凸状結合部とを結合させて、前記一双の箸本体が結合状態となり、前記凹状結合部と前記凸状結合部とを分離させて、前記一双の箸本体が使用可能状態となる着脱可能型箸であって、前記一双の箸本体は、相互に重なるように箸半体の長さ方向に移動させる又は、近接する方向に移動させることによって前記結合状態となり、また相互に離れるように箸半体の長さ方向に移動させる又は離隔する方向に移動させることによって分離して前記使用可能状態となり、前記一双の箸本体が、相互に重なるように箸半体の長さ方向に移動させて前記結合状態となり、この結合状態で箸半体の下部を離隔する方向に移動させることによって分離して結合状態が解除されて前記使用可能状態となり、前記凹状結合部と前記凸状結合部との少なくとも一方の下端部に横溝を形成してなることを特徴とする。
【手続補正３】
【補正対象書類名】明細書
【補正対象項目名】００１２
【補正方法】削除
【補正の内容】